(57)【特許請求の範囲】
【請求項１】
基材と、前記基材上に配置された複数の発光素子と、前記発光素子を被覆する封止部材と、を備える発光装置であって、
前記封止部材は、
第１蛍光体を含有して一部の発光素子を被覆する第１封止部材と、
前記第１蛍光体の発光波長と異なる波長の光を発光する第２蛍光体を含有して、平面視において、前記第１封止部材の外側に前記第１封止部材と同心形状に形成された、前記第１封止部材の外側に載置された発光素子を被覆する第２封止部材と、を有し、
前記基材上に前記第１封止部材と前記第２封止部材とを仕切る光反射性の部材からなる壁を備え、
前記壁を介して隣り合う前記第１封止部材で被覆された発光素子と前記第２封止部材で被覆された発光素子とが前記ワイヤによって接続されており、当該ワイヤが前記壁を貫通していることを特徴とする発光装置。
【請求項２】
前記壁が、前記第１封止部材を取り囲むように前記第１封止部材と同心形状に形成されたことを特徴とする請求項１に記載の発光装置。
【請求項３】
前記第１蛍光体の発光波長が前記第２蛍光体の発光波長よりも長いことを特徴とする請求項１または請求項２に記載の発光装置。
【請求項４】
前記第２封止部材で被覆された複数の発光素子の実装エリアは、前記第１封止部材で被覆された複数の発光素子の実装エリアよりも広いことを特徴とする請求項１から請求項３のいずれか一項に記載の発光装置。
【請求項５】
前記第２封止部材で被覆された発光素子の個数は、前記第１封止部材で被覆された複数の発光素子の個数よりも多いことを特徴とする請求項１から請求項４のいずれか一項に記載の発光装置。
【請求項６】
前記複数の発光素子が前記基材上に縦列横列に整列して配置され、
前記縦列横列のいずれかの方向の列に沿って配置された複数の発光素子が直列接続されていることを特徴とする請求項１から請求項５のいずれか一項に記載の発光装置。
【請求項７】
前記複数の発光素子の実装エリアが矩形であって、
前記第１封止部材が前記基材上に矩形状に形成され、
前記第２封止部材および前記壁が前記基材上に矩形の枠状に形成されていることを特徴とする請求項１から請求項６のいずれか一項に記載の発光装置。
【請求項８】
前記複数の発光素子の実装エリアが円または楕円形状であって、
前記第１封止部材が前記基材上に円または楕円形状に形成され、
前記第２封止部材および前記壁が前記基材上に円または楕円の環形状に形成されていることを特徴とする請求項１から請求項６のいずれか一項に記載の発光装置。
【請求項９】
前記基材上に、平面視において、前記第２封止部材の外側に前記第１封止部材と同心形状に形成された光反射性の部材からなる第２の壁をさらに備えることを特徴とする請求項１から請求項８のいずれか一項に記載の発光装置。
【請求項１０】
前記複数の発光素子は、
前記第２蛍光体の波長よりも短い波長を発光して前記第１蛍光体および前記第２蛍光体を励起する複数の第１発光素子と、
前記第１発光素子の発光波長と前記第２蛍光体の発光波長との間の波長を発光する複数の第２発光素子と、からなり、
前記第１封止部材は前記第１発光素子を被覆しており、
前記第２封止部材は前記第１発光素子および前記第２発光素子を被覆していることを特徴とする請求項１から請求項９のいずれか一項に記載の発光装置。
【請求項１１】
請求項１から請求項１０のいずれか一項に記載の発光装置の製造方法であって、
基材上に、複数の発光素子を載置するダイボンディング工程と、
隣り合う２つの発光素子同士を導電性のワイヤによって接続するワイヤボンディング工程と、
基材上に一部の発光素子を取り囲むように前記隣り合う２つの発光素子同士を接続する前記ワイヤの上から光反射性の材料を吐出して当該ワイヤの位置を越える所定の高さの壁を形成する壁形成工程と、
第１蛍光体を含有した第１封止部材を前記壁の内側に載置された発光素子の上に被覆するように設けると共に、前記第１蛍光体の発光波長と異なる波長の光を発光する第２蛍光体を含有した第２封止部材を前記壁の外側に載置された発光素子の上に被覆するように設ける封止部材被覆工程と、を含むことを特徴とする発光装置の製造方法。
【発明の詳細な説明】
【技術分野】
【０００１】
本発明は、ＬＥＤ電球、スポットライト等の照明器具等に利用可能な発光装置およびその製造方法に関する。
【背景技術】
【０００２】
一般に、発光素子を用いた発光装置は、小型で電力効率がよく、鮮やかな色を発光することで知られている。この発光装置に係る発光素子は半導体素子であるため、球切れ等の心配が少ないだけでなく、初期駆動特性に優れ、振動やオン・オフ点灯の繰り返しに強いという特徴を有する。このような優れた特性を有するため、発光ダイオード（ＬＥＤ：Light Emitting Diode）、レーザーダイオード（ＬＤ：Laser Diode）等の発光素子を用いる発光装置は、各種の光源として利用されている。
【０００３】
発光装置は、主に、発光素子と、その発光素子を配置し発光素子と電気的に接続する導電配線を有する基材と、その基材の発光素子を被覆する封止部材と、から構成されている。また、封止部材中に、２種類以上の蛍光体を均一に分散させた状態で含有させることにより、発光素子からの光と、蛍光体により波長変換された光との混色光が発光する発光装置が知られている（例えば、特許文献１参照）。特許文献１に記載された発光装置では、発光素子の発光する青色を吸収して緑色を発光する緑色蛍光体（ＢａＳｉＯ４：Ｅｕ２＋）と、青色を吸収して赤色を発光する赤色蛍光体（ＣａＡｌＳｉＮ３：Ｅｕ２＋）とをブレンドして封止樹脂に含有している。
【０００４】
また、このような蛍光体ブレンド型の発光装置において、緑色の蛍光体の代わりに黄色の蛍光体を用いることで発光効率を高めることができる。すなわち、２種類の色の組み合わせとして、長波長側を赤色蛍光体とし、短波長側を黄色蛍光体として、混在させて封止樹脂に含有した発光装置も提案されている。例えば、赤色蛍光体の一例である（Ｓｒ，Ｃａ）ＡｌＳｉＮ３：Ｅｕ（以下、ＳＣＡＳＮと略記する）と、黄色蛍光体の一例であるイットリウム、アルミニウムおよびガーネットを混合したＹＡＧ系蛍光体（以下、ＹＡＧと略記する）とを想定すると、長波長側の蛍光体の吸収スペクトルは、短波長側の蛍光体の発光スペクトルと一部重複している（図６（ｂ）参照）。このため、封止樹脂中に、長波長側の蛍光体（ＳＣＡＳＮ）と、短波長側の蛍光体（ＹＡＧ）とを混在させると、短波長側の蛍光体による波長変換光の一部が、長波長側の蛍光体によって吸収され、短波長側の蛍光体による波長変換光の出力が低下する。この場合、短波長側の蛍光体（ＹＡＧ）の発光スペクトルのうち、吸収された短波長側のスペクトル成分を補う必要がある。そのため、例えば、第３の蛍光体として、２つの蛍光体の発光波長の中間波長に対応した緑色蛍光体であるクロロシリケートを封止樹脂にさらに混在させて含有させることで、吸収された短波長側のスペクトル成分を補っていた（図６（ｂ）参照）。
【０００５】
また、従来、２種類の蛍光体領域を分離した蛍光体分離型の発光装置が提案されている（特許文献２参照）。特許文献２に記載された発光装置は、緑色蛍光体を混入した緑色封止樹脂で第１青色ＬＥＤを囲むように封止し、赤色蛍光体を混入した赤色封止樹脂で第２青色ＬＥＤを囲むように封止し、緑色封止樹脂と赤色封止樹脂との間に、光を反射する隔壁が設けられている。そして第１及び第２の青色ＬＥＤからの青色光と、この青色光によりそれぞれ励起された緑色蛍光体及び赤色蛍光体からの緑色光及び赤色光のピークを持った白色光を発生させる。また、隔壁により、緑色封止樹脂内の緑色蛍光体からの緑色光が、赤色封止樹脂内に入って赤色蛍光体を励起することを防止している。
【先行技術文献】
【特許文献】
【０００６】
【特許文献１】特開２０１０−１９２６２４号公報
【特許文献２】特開２０１０−３４１８４号公報
【発明の概要】
【発明が解決しようとする課題】
【０００７】
しかしながら、従来の蛍光体ブレンド型の発光装置において、２種類の色の組み合わせとして、長波長側を赤色蛍光体とし、短波長側を黄色蛍光体として、混在させて封止樹脂に含有した発光装置では、演色性向上のためには、吸収された短波長側の蛍光体（ＹＡＧ）の発光を補うものとして、緑色蛍光体であるクロロシリケートを封止樹脂にさらに配合しなければならず、緑色蛍光体を励起するために緑色蛍光体に光を吸収させることに起因して発光効率が低下してしまう。
【０００８】
また、従来の蛍光体分離型の発光装置において、光を反射する隔壁を境界線に、左側は緑色封止樹脂、右側は赤色封止樹脂というように、当該発光装置の発光面を正面視した場合、青色ＬＥＤからの青色光と共に混ざって白色に見える緑色光と赤色光とのうち、緑色光は隔壁の中心から左側で発光し、赤色光は隔壁の中心から右側で発光する。つまり、左側は、緑色光の強度が強く、右側は赤色光の強度が強いという偏りが生じる。そのため、従来の蛍光体分離型の発光装置の構造では、隔壁の中心から左右に放射する方向に沿って、長波長側の蛍光体による色（赤）と、短波長側の蛍光体による色（緑）とを混合した割合が異なり、左右均等に発光することができず、発光面を正面視したときに、全体として色ムラが生じる。特に、ＬＥＤの個数を増加させ、各封止樹脂の面積を増大させると、このような色ムラはさらに顕著となる。
【０００９】
本発明は、前記問題点に鑑みてなされたものであり、発光効率を高め、かつ色ムラを低減することができる発光装置および発光装置の製造方法を提供することを課題とする。
【課題を解決するための手段】
【００１０】
前記課題を解決するために、本発明に係る発光装置は、基材と、前記基材上に配置された複数の発光素子と、前記発光素子を被覆する封止部材と、を備える発光装置であって、前記封止部材が、第１蛍光体を含有して一部の発光素子を被覆する第１封止部材と、前記第１蛍光体の発光波長と異なる波長の光を発光する第２蛍光体を含有して、平面視において、前記第１封止部材の外側に前記第１封止部材と同心形状に形成された、前記第１封止部材の外側に載置された発光素子を被覆する第２封止部材と、を有し、前記基材上に前記第１封止部材と同心形状に形成されて前記第１封止部材と前記第２封止部材とを仕切る光反射性の部材からなる壁を備え、前記壁を介して隣り合う前記第１封止部材で被覆された発光素子と前記第２封止部材で被覆された発光素子とが前記ワイヤによって接続されており、当該ワイヤが前記壁を貫通していることを特徴とする。
【００１１】
このような構成によれば、発光装置は、第１蛍光体を含有した第１封止部材と、第２蛍光体を含有した第２封止部材とが光反射性の部材からなる壁で仕切られているので、長波長側の蛍光体が発光する光によって、短波長側の蛍光体が発光する光が吸収されることを防止することができる。したがって、第３の蛍光体を混在させる場合よりも発光効率を向上させることができる。また、発光装置は、発光面の平面視において、第１蛍光体を含有した第１封止部材の外側に、第２蛍光体を含有した第２封止部材が第１封止部材と同心形状に配置されているので、第１封止部材の中心から放射する方向に沿って、長波長側の蛍光体による色と、短波長側の蛍光体による色とを混合した割合が等しく、均等に発光することができ、発光面を正面視したときに、全体として色ムラを低減することができる。
【００１２】
また、本発明に係る発光装置は、前記壁が、前記第１封止部材を取り囲むように前記第１封止部材と同心形状に形成されたことが好ましい。このようにすることで、長波長側の蛍光体による色と、短波長側の蛍光体による色とがより均等に発光することができ、発光面を正面視したときに、全体として色ムラをさらに低減することができる。
【００１３】
また、本発明に係る発光装置は、前記第１蛍光体の発光波長が前記第２蛍光体の発光波長よりも長いことが好ましい。このようにすることで、発光面の平面視において、壁の外側ほど発光波長の短い蛍光体を配することができる。
【００１４】
また、本発明に係る発光装置は、前記第２封止部材で被覆された複数の発光素子の実装エリアが、前記第１封止部材で被覆された複数の発光素子の実装エリアよりも広いことが好ましい。このようにすることで、発光面の平面視において、壁の外側ほど多くの発光素子を配置し易くなる。また、本発明に係る発光装置は、前記第２封止部材で被覆された発光素子の個数は、前記第１封止部材で被覆された複数の発光素子の個数よりも多いことが好ましい。
【００１５】
また、本発明に係る発光装置は、前記壁を介して隣り合った発光素子のペアのうち少なくとも一部が前記壁を貫通したワイヤにて接続されていることが好ましい。このようにすることで、壁を介して隣り合った発光素子の間に中継用の導電部材を設けて、２本のワイヤの中継点として用いる場合に比べて、壁を介して隣り合った２つの発光素子をより近づけて配設することができる。
【００１６】
また、本発明に係る発光装置は、前記複数の発光素子が前記基材上に縦列横列に整列して配置され、前記縦列横列のいずれかの方向の列に沿って配置された複数の発光素子が直列接続されていることが好ましい。このようにすることで、直列接続されている各発光素子に流れる電流が平均化され、直列接続されている方向の発光を均一化できる。
【００１７】
また、本発明に係る発光装置は、一態様として、前記複数の発光素子の実装エリアが矩形であって、前記第１封止部材が前記基材上に矩形状に形成され、前記第２封止部材および前記壁が前記基材上に矩形の枠状に形成されていることが好ましい。このようにすることで、複数の発光素子を、基材上に縦列横列に高密度に整列して配置できるので、発光出力強度を高めることができ、また、効率的に載置することができる。
【００１８】
また、本発明に係る発光装置は、別の一態様として、前記複数の発光素子の実装エリアが円または楕円形状であって、前記第１封止部材が前記基材上に円または楕円形状に形成され、前記第２封止部材および前記壁が前記基材上に円または楕円の環形状に形成されていることが好ましい。
【００１９】
このような構成によれば、発光装置は、基材の中心に配設された複数の発光素子を封止する第１封止部材が円または楕円形状に形成され、かつ、第２封止部材が基材上に円または楕円の環形状に形成されているので、第１封止部材の中心から放射する方向に沿って、長波長側の蛍光体による色と、短波長側の蛍光体による色とを混合した割合が等しく、かつ、周方向に沿って、色を混合した割合が緩かに変化するか、あるいは略等しくなるので、他の形状と比較して、より均等に発光することができ、色ムラを低減することができる。
【００２０】
また、本発明に係る発光装置は、前記基材上に、平面視において、前記第２封止部材の外側に前記第１封止部材と同心形状に形成された光反射性の部材からなる第２の壁をさらに備えることが好ましい。
【００２１】
このような構成によれば、発光装置は、発光面の平面視において、第２封止部材の周囲を囲うように壁が形成されているので、第２封止部材で被覆された複数の発光素子から出力されて周囲に向う光が壁によって反射する。したがって、出射光のロスを軽減することができ、発光装置の光の取り出し効率を向上させることができる。
【００２２】
また、本発明に係る発光装置は、前記複数の発光素子が、前記第２蛍光体の波長よりも短い波長を発光して前記第１蛍光体および前記第２蛍光体を励起する複数の第１発光素子と、前記第１発光素子の発光波長と前記第２蛍光体の発光波長との間の波長を発光する複数の第２発光素子と、からなり、前記第１封止部材が前記第１発光素子を被覆しており、前記第２封止部材が前記第１発光素子および前記第２発光素子を被覆していることが好ましい。
【００２３】
このような構成によれば、発光装置は、発光面の平面視において、壁の内側に配置された第１封止部材が含有する第１蛍光体によって、第１発光素子が発光する光が波長変換されると共に、壁の外側に配置された第２封止部材が含有する第２蛍光体によって、第１発光素子が発光する光と、第２発光素子が発光する光と、が別々に波長変換される。したがって、発光装置は、第２発光素子の個数や配置を適宜変更することで、発光面全体としての発光スペクトルが補正されて、演色性を容易に向上させることができる。
【００２４】
また、本発明に係る発光装置の製造方法は、基材上に、複数の発光素子を載置するダイボンディング工程と、隣り合う２つの発光素子同士を導電性のワイヤによって接続するワイヤボンディング工程と、基材上に一部の発光素子を取り囲むように前記隣り合う２つの発光素子同士を接続する前記ワイヤの上から光反射性の材料を吐出して当該ワイヤの位置を越える所定の高さの壁を形成する壁形成工程と、第１蛍光体を含有した第１封止部材を前記壁の内側に載置された発光素子の上に被覆するように設けると共に、前記第１蛍光体の発光波長と異なる波長の光を発光する第２蛍光体を含有した第２封止部材を前記壁の外側に載置された発光素子の上に被覆するように設ける封止部材被覆工程と、を含むことを特徴とする。
【００２５】
このような製造方法によれば、壁形成工程にて、基材上の一部の発光素子だけを取り囲むように光反射性の部材からなる壁を形成してから、封止部材被覆工程にて、第１蛍光体を含有した第１封止部材と、第２蛍光体を含有した第２封止部材と、をそれぞれ壁の反対側に載置された発光素子の上に被覆するので、異なる蛍光体を含有した封止部材を容易に分離することができる。また、壁を備えるので、封止部材として粘度が比較的低い樹脂を選択して用いることができる。その結果、製造コストを低減することが可能である。
【発明の効果】
【００２６】
本発明に係る発光装置によれば、発光効率を向上させることができると共に、色ムラを低減することができる。
【００２７】
本発明に係る発光装置の製造方法によれば、基材上に複数の発光素子がそれぞれ載置された異なる２つの領域に対して、異なる蛍光体を含有した封止部材を容易に分離して被覆することができるので、発光効率を向上させ、かつ色ムラを低減した発光装置を容易に製造することができる。
【図面の簡単な説明】
【００２８】
【図１】本発明の実施形態に係る発光装置の全体構成を示す斜視図である。
【図２】本発明の実施形態に係る発光装置の構成の一部を透過して示す平面図である。
【図３】本発明の実施形態に係る発光装置の構成の一部を拡大して示す断面図であって、（ａ）は実施例、（ｂ）は比較例をそれぞれ示している。
【図４】本発明の実施形態に係る発光装置の発光する光の模式図であって、（ａ）は発光面に垂直な方向の断面図、（ｂ）は発光面に平行な平面図をそれぞれ示している。
【図５】従来の蛍光体分離型の発光装置の発光する光の模式図であって、（ａ）は発光面に垂直な方向の断面図、（ｂ）は発光面に平行な平面図をそれぞれ示している。
【図６】一般的な蛍光体の発光スペクトルを示すグラフであって、（ａ）は蛍光体分離型、（ｂ）は蛍光体ブレンド型をそれぞれ示している。
【図７】本発明の実施形態に係る発光装置の発光する光の発光スペクトルを蛍光体ブレンド型の従来例と比較して示すグラフである。
【図８】本発明の他の実施形態に係る発光装置の構成を模式的に示す平面図である。
【図９】本発明の他の実施形態に係る発光装置の構成の一部を透過して示す平面図である。
【発明を実施するための形態】
【００２９】
以下、本発明の実施形態に係る発光装置および発光装置の製造方法について、図面を参照しながら説明する。なお、各図面が示す部材のサイズや位置関係等は、説明を明確にするため誇張していることがある。さらに以下の説明において、同一の名称、符号については、原則として同一もしくは同質の部材を示しており、詳細説明を適宜省略する。また、以下の説明で参照する図２において、発光素子のｐ電極およびｎ電極は、各発光素子の向きを示すために実装領域上の４箇所だけ詳細に図示し、実装領域上のその他の箇所では詳細な図示を省略している。また、図９ではｐ電極およびｎ電極は、詳細な図示を省略している。
【００３０】
≪発光装置≫
本発明の実施形態に係る発光装置１について、図１〜図３を参照しながら詳細に説明する。以下の説明では、まず発光装置１の全体構成について説明した後に、各構成について説明する。なお、説明の便宜上、図２における壁６，９は、外形のみを線で示し、透過させた状態で図示している。他の実施形態で説明する図９についても、同様に透過させた状態で図示している。
【００３１】
＜全体構成＞
発光装置１は、例えば、ＬＥＤ電球、スポットライト等の照明器具等に利用される装置である。発光装置１は、図１および図２に示すように、基材２と、基材２上に配置された複数の発光素子３と、一部の発光素子３を被覆する封止部材４と、残りの発光素子３を被覆する封止部材５と、光反射性の部材からなる壁６，９と、例えば配線パターン等の導電部材２０とを主に備える。
【００３２】
封止部材（第１封止部材）４は、第１蛍光体を含有し、図１および図２に示すように、平面視において、基材２上の中心領域に配置された複数の発光素子３を被覆している。
封止部材（第２封止部材）５は、第２蛍光体を含有し、図１および図２に示すように、平面視において、基材２上の封止部材４の外側に封止部材４と同心形状に形成され、封止部材４の外側に載置された発光素子３を被覆している。このように、封止部材５の外縁の成す形状と、封止部材４の外縁の成す形状とが、ほぼ同じ位置にそれぞれの中心を有している。
【００３３】
光反射性の部材からなる壁６は、図１に示すように、基材２上に封止部材４を取り囲むように封止部材４と同心形状に形成されて封止部材４と封止部材５とを仕切るように形成されている。
【００３４】
光反射性の部材からなる壁９は、図１に示すように、基材２上に封止部材５を取り囲むように封止部材４と同心形状に形成されている。
【００３５】
図２において、封止部材４と、壁６と、封止部材５とを結ぶ符号３０の破線で示す領域の断面を図３（ａ）に示す。図３（ａ）に示すように、壁６の内側（図３において右側）に充填された封止部材４は蛍光体（第１蛍光体）７を含有し、壁６の外側（図３において左側）に充填された封止部材５は蛍光体（第２蛍光体）８を含有している。蛍光体８は、蛍光体７の発光波長と異なる波長の光を発光する。以下では、一例として、蛍光体７の発光波長が蛍光体８の発光波長よりも長いものとして説明する。
【００３６】
図２に示すように、複数の発光素子３を配置するための領域である実装エリアは矩形である。なお、図２は封止部材４，５を透過して視た平面図である。複数の発光素子３の実装エリアは、２つに区分されている。より詳細には、封止部材４で被覆される複数の発光素子３の実装エリア１１は、基材２の中央の領域に区画されており、矩形状に形成されている。この実装エリア１１は、互いに対向する辺を有する所定形状で形成されており、より具体的には、図２に示すように、角部を丸めた略矩形状に形成されている。これに対応して、図１に示すように、封止部材４が基材２上の中央の領域に矩形状に形成されている。また、図１に示すように、壁６が基材２上において封止部材４を取り囲むように矩形の枠状に形成されている。
【００３７】
また、図２において、封止部材５で被覆される複数の発光素子３の実装エリア１２は矩形の枠状に形成されている。実装エリア１２の周囲には、図２を正面視した場合において、実装エリア１２の左側の辺に沿って配線部２３ｂの一部および配線部２４ｂの一部が形成され、実装エリア１２の下側の辺に沿って配線部２４ｂの一部が形成されている。なお、ここでの実装エリア１２の周囲とは、図２に示すように、実装エリア１２の周縁と所定の間隔を置いた周囲のことを意味している。この実装エリア１２に対応して、図１に示すように、封止部材５は、基材２上において封止部材４および壁６を取り囲むように矩形の枠状に形成されている。また、図１に示すように、基材２上において、壁９が封止部材５を取り囲むように矩形の枠状に形成されている。なお、実装エリア１１，１２のサイズは特に限定されず、発光素子３の数や配列間隔等、目的および用途に応じて適宜選択することができる。
【００３８】
実装エリア１１，１２において、発光素子３は、同程度の密度で載置されることが好ましい。また、これらの発光素子３は、サイズ、出力、波長等の特性がほぼ同等であることが好ましい。特に、実装エリアが矩形の場合は、実装エリア１１，１２両方において同様のマトリクス状に発光素子３が載置されることが好ましい。
【００３９】
図２に示す例では、複数（例えば、９行×１０列の合計９０個）の発光素子３が基材２上に縦列横列に整列して配置されている。
発光素子３は、図２に示すように、実装エリア１１上において、縦方向および横方向にそれぞれ等間隔で配列されており、ここでは、縦７個×横６個の合計４２個配置されている。また、図２に示すように、実装エリア１１上の最外周に配置された２２個の発光素子３を取り囲むように、実装エリア１２上において、３０個の発光素子３が配設されて、内側の４２個の発光素子３と合わせて９行×８列のマトリクスとなっており、かつ、実装エリア１２上において、このマトリクスを１列９個ずつの発光素子３が両側から挟み込む位置に配設されている。つまり、実装エリア１２には、発光素子３が合計４８個配置されている。
【００４０】
ここで、実装エリア１１，１２は、同心形状であるので、外側の領域を比較的幅広にして発光素子３を実装し易くして、外側に数多くの発光素子３を配置することが好ましい。つまり、実装エリア１１，１２のうち、面積を大きくしようとする方を外側に配置することが好ましい。また、実装エリア１１，１２における面積や発光素子３の搭載個数を変えることによって、実装エリア１１，１２毎の発光強度を変化させることができる。これによって、実装エリア１１，１２毎の発光強度比を調整し、封止部材４，５を介した所望の色調を得ることができる。例えば、黄色味を強くする場合には、黄色蛍光体を含有する封止部材の側の領域の発光強度を強めればよい。また、２種の蛍光体のうち、発光素子３の発光に対する変換効率が低く、より多量の蛍光体を必要とする方を蛍光体７とし、発光装置１の中心近傍に配置することが好ましい。
【００４１】
また、一例として、実装エリア１１，１２の縦列の方向に沿って配置された複数の発光素子３が直列接続されている。具体的には、図２に示すように、発光素子３は、実装エリア１１，１２に対して縦方向に隣り合う発光素子３同士が導電性のワイヤ１３によって電気的に接続され、直列接続されている。なお、ここでの直列接続とは、図２に示すように、隣り合う発光素子３におけるｐ電極３ａとｎ電極３ｂとがワイヤ１３によって電気的に接続された状態を意味している。直列接続すると、各発光素子３に流れる電流を均一化できる。例えば、順方向降下電圧（以下、Ｖｆという）の高い発光素子と低い発光素子とを並列接続すると、Ｖｆの低い発光素子に流れる電流が大となるが、直列接続すると、流れる電流は両方の発光素子においてほぼ同じとなる。このため、発光素子３を直列接続することで、Ｖｆの異なる複数の発光素子３を使用しても、各発光素子３に流れる電流を均一化でき、各発光素子３をほぼ同程度の強度で発光させることができる。このようにすることで、封止部材４により被覆した複数の発光素子３の発光状態と、封止部材５により被覆した複数の発光素子３の発光状態と、を均一化できる。またこの直列回路に、例えば隣り合う発光素子を並列に接続してこの組を１つの発光素子とみて、組同士を直列接続する、いわゆる梯子状の配線（ラダー）にすることで、各種電源に対応した発光装置とすることもできる。
【００４２】
また、図２を正面視した場合において、実装エリア１２の左側の端部に位置する発光素子３と、導電部材２０である配線部２３ｂとがワイヤ１３によって電気的に接続されており、実装エリア１２の下側の端部（第９行目）に位置する発光素子３と、導電部材２０である配線部２４ｂとがワイヤ１３によって電気的に接続されている。また、実装エリア１２の上側の端部（第１行目）に位置する１０個の発光素子３のｎ電極３ｂが並列にワイヤ１３によって電気的に接続されている。
【００４３】
図２に示す例では、実装エリア１２の広さは、実装エリア１１の広さの約２倍となるように形成されている。また、この例では、好ましい形態として、実装エリア１２に実装された発光素子３の個数（４８個）は、実装エリア１１に実装された発光素子３の個数（４２個）よりも多くなるように配置した。
【００４４】
図２に示す例では、壁６を介して隣り合った発光素子３のペア（２２ペア）のうち一部（１２ペア）が壁６を貫通したワイヤ１３にて接続されている。なお、図２において、仮に、実装エリア１２中の左右の２列ずつ合計３６個の発光素子３が、マトリクス状に配置されていないような場合を想定すると、この場合には、全てのぺアが壁６を貫通したワイヤ１３にて接続されることとなる。
【００４５】
ここで、発光装置１において、壁６を介して隣り合った発光素子３のペアを接続するワイヤ１３が壁６を貫通していることによる効果について図３を参照して説明する。図３（ａ）は、本実施形態の発光装置１の符号３０（図２参照）の破線で示す領域の断面を示し（実施例）、図３（ｂ）は、実施例を説明するために仮定した比較例を示している。図３（ｂ）の比較例では、壁６を介して隣り合った２つの発光素子３の間において、基材２上に壁６を形成する前に中継用の導電部材３１が設けてある。そして、中継用の導電部材３１は、隣り合った２つの発光素子３から延伸した２本のワイヤ１３の中継点として機能する。ワイヤ１３は所定の強度を有しているために急峻な角度で曲げることは困難であるにも関わらず、図３（ｂ）に示す例では、左右の発光素子３の上部にある図示しない電極端子（パッド電極）から立設した各ワイヤ１３が発光素子３の最上面の位置よりも下方にある中継用の導電部材３１に向けて急峻な角度で曲げられていることが分かる。これに対して、図３（ａ）に示す実施例では、左の発光素子３の上部にある図示しない電極端子（パッド電極）から立設したワイヤ１３が発光素子３の最上面の位置よりも上方で緩やかに曲げられて、壁６を貫通して右の発光素子３の上部にある図示しない電極端子（パッド電極）と接続されている。
【００４６】
したがって、実施例によれば、ワイヤ１３を急峻な角度で曲げることなく、壁６を介して隣り合った発光素子３のペアを容易に接続することができる。また、実施例によれば、中継用の導電部材３１が不要であると共に、必要なワイヤ１３のボンディング数を低減することもできる。また、図３（ｂ）の比較例において、ワイヤ１３の長さを伸長し、かつ、隣り合った発光素子３間の距離を大きくすれば、ワイヤ１３を急峻な角度で曲げる必要はないが、発光素子３の実装エリアにおいて、発光素子３の配置密度が低くなってしまう。これに対して、実施例では、壁６を介して隣り合った２つの発光素子３を近づけて配設することが可能である。
【００４７】
また、実施例では、ワイヤ１３が壁６に埋め込まれて固定されているため、封止部材４，５を樹脂で形成する場合、発光装置１の製造時や駆動時の熱によって樹脂が膨張することによる封止部材４，５の応力の影響をワイヤ１３が受け難く、ワイヤ１３が切断しにくくなる。なお、ワイヤボンディングした後に、基材２の所定領域にワイヤ１３の上から、壁６として光反射性の液体樹脂を吐出した場合、吐出された樹脂が基材２の所定領域を被覆し、ワイヤ１３の位置を越える所定の高さに達することで、壁６を貫通したワイヤ１３が形成される。この形成過程において、ワイヤ１３は、所定の強度を有しているのでワイヤボンディング後の形状を維持することができる。
【００４８】
次に、発光装置１の各構成の詳細について説明する。
＜基材＞
基材２は、発光素子３や図示を省略した保護素子等の電子部品を配置するためのものである。基材２は、図１および図２に示すように、矩形平板状に形成されている。また、基材２上には、図２に示すように複数の発光素子３を配置するための実装エリア１１，１２が区画されている。なお、基材２のサイズは特に限定されず、発光素子３の数や配列間隔等、目的および用途に応じて適宜選択することができる。
【００４９】
基材２の材料としては、絶縁性材料を用いることが好ましく、かつ、発光素子３から放出される光や外光等が透過しにくい材料を用いることが好ましい。また、ある程度の強度を有する材料を用いることが好ましい。具体的には、セラミックス（Ａｌ２Ｏ３、ＡｌＮ等）、あるいはフェノール樹脂、エポキシ樹脂、ポリイミド樹脂、ＢＴレジン（bismaleimide triazine resin）、ポリフタルアミド（ＰＰＡ）等の樹脂が挙げられる。また、金属板の表面に絶縁層を設けた部材を基材２の材料として用いることもできる。
【００５０】
＜発光素子＞
発光素子３は、電圧を印加することで自発光する半導体素子である。発光素子３は、図２に示すように、基材２の実装エリア１１，１２に複数配置されている。発光素子３は、図示しない接合部材によって実装エリア１１，１２に接合されており、その接合方法としては、例えば接合部材として樹脂や半田ペーストを用いる接合方法を用いることができる。
【００５１】
発光素子３のそれぞれは、図２に示すように、矩形状に形成されている。また、発光素子３は、図２に示すように、その上面の一側にｐ電極３ａが設けられ、発光素子３の他側にｎ電極３ｂが設けられたフェースアップ（ＦＵ）素子である。
【００５２】
発光素子３としては、具体的には発光ダイオードを用いるのが好ましく、用途に応じて任意の波長のものを選択することができる。例えば、青色（波長４３０ｎｍ〜４９０ｎｍの光）、緑色（波長４９０ｎｍ〜５７０ｎｍの光）の発光素子３としては、窒化物系半導体（ＩｎＸＡｌＹＧａ１−Ｘ−ＹＮ、０≦Ｘ、０≦Ｙ、Ｘ＋Ｙ≦１）等を用いることができる。また、赤色（波長６２０ｎｍ〜７５０ｎｍの光）の発光素子３としては、ＧａＡｌＡｓ、ＡｌＩｎＧａＰ等を用いることができる。
【００５３】
ここで、本実施形態においては、後記するように封止部材４，５（図１参照）に蛍光体７，８（蛍光物質）を導入するため、それらの蛍光体を効率良く励起できる短波長の発光が可能な窒化物半導体（ＩｎＸＡｌＹＧａ１−Ｘ−ＹＮ、０≦Ｘ、０≦Ｙ、Ｘ＋Ｙ≦１）を用いることが好ましい。例えば、青色の発光素子３と黄色蛍光体と赤色蛍光体とを組み合わせてこれらの発光を混合することで、演色性の向上した白色の光を得ることができる。ただし、発光素子３の成分組成や発光色、サイズ等は上記に限定されず、目的に応じて適宜選択することができる。また、発光素子３は、可視光領域の光だけではなく、紫外線や赤外線を出力する素子で構成することもできる。また、高出力化のためには、発光素子３の個数は、例えば１０個以上、２０〜４００個の範囲内とすることが好ましい。
【００５４】
＜封止部材＞
封止部材４は、蛍光体７を含有するものであり、基材２に配置された発光素子３およびワイヤ１３等を、塵芥、水分、外力等から保護するための部材である。封止部材４は、図１、図２に示すように、基材２上において、壁６で囲った実装エリア１１内に、例えば樹脂を充填することで形成される。
【００５５】
封止部材４の材料としては、発光素子３からの光を透過可能な透光性を有するものが好ましい。具体的な材料としては、シリコン樹脂、エポキシ樹脂、ユリア樹脂等を挙げることができる。また、このような材料に加えて、所望に応じて着色剤、光拡散剤、フィラー等を含有させることもできる。また、封止部材４の材料は、樹脂に限定されるものではない。
【００５６】
なお、封止部材４は、単一の部材で形成することもできるし、あるいは、２層以上の複数の層として形成することもできる。また、封止部材４の充填量は、壁６で囲った実装エリア１１内に配置される発光素子３、ワイヤ１３等が被覆される量であればよい。また、封止部材４にレンズ機能をもたせる場合は、封止部材４の表面を盛り上がらせて砲弾型形状や凸レンズ形状としてもよい。
【００５７】
封止部材５は、蛍光体８を含有するものであり、基材２に配置された発光素子３およびワイヤ１３等を、塵芥、水分、外力等から保護するための部材である。封止部材５は、図１、図２に示すように、基材２上において、壁６と壁９とで囲った実装エリア１２内に、例えば樹脂を充填することで形成される。なお、封止部材５の材料や形成方法は、封止部材４と同様にすることができる。
【００５８】
＜蛍光体＞
蛍光体７は、封止部材４中に含有させる波長変換部材であり、蛍光体８は、封止部材５中に含有させる波長変換部材である。
蛍光体７，８は、発光素子３からの光の少なくとも一部を吸収して異なる波長を有する光を発する。蛍光体７，８としては、発光素子３からの光をより長波長に変換させるものが好ましい。また、蛍光体７，８は１種の蛍光体（蛍光物質）を用いてもよいし、２種以上の蛍光体（蛍光物質）が混合されたものを用いてもよい。好ましくは、それぞれの蛍光体の発光が他の蛍光体に吸収されることを防止するために、蛍光体７，８はそれぞれ１種ずつの蛍光体（蛍光物質）を用いる。
【００５９】
ここでは、蛍光体７の発光波長が蛍光体８の発光波長よりも長いものとして説明しているので、蛍光体７の材料としては、例えば、Ｅｕ，Ｃｅ等のランタノイド系元素で主に賦活される、窒化物系蛍光体を用いることができる。このうち、ユーロピウムドープの赤色蛍光物質として、例えば、（Ｓｒ，Ｃａ）ＡｌＳｉＮ３：Ｅｕ（以下、ＳＣＡＳＮと表記する）、ＣａＡｌＳｉＮ３：ＥｕのようなＣＡＳＮ系蛍光体、ＳｒＡｌＳｉＮ３：Ｅｕを用いることができる。また、蛍光体８の材料としては、例えば、イットリウム、アルミニウムおよびガーネットを混合したＹＡＧ系蛍光体（黄色蛍光物質）を用いることができる。なお、他の蛍光体として、Ｅｕ，Ｃｅ等のランタノイド系元素で主に賦活される、酸窒化物系蛍光体を用いることもできる。
【００６０】
＜壁＞
光反射性の壁６，９は、発光素子３から出射された光を反射させるためのものである。
壁６は、図１および図２に示すように、基材２上において実装エリア１１を囲うように四角枠状に形成されることが好ましい。このように実装エリア１１の周囲を囲うように壁６を形成することで、基材２の実装エリア１１の周囲に向う光が壁６によって反射することができる。従って、出射光のロスを軽減することができ、発光装置１の光の取り出し効率を向上させることができる。
【００６１】
壁９は、図１および図２に示すように、基材２上において実装エリア１２を囲うように四角枠状に形成されることが好ましい。このように実装エリア１２の周囲を囲うように壁９を形成することで、基材２の実装エリア１２の周囲に向う光が壁９によって反射することができる。従って、出射光のロスを軽減することができ、発光装置１の光の取り出し効率を向上させることができる。なお、発光装置１から取り出される光とは、壁６に囲まれた封止部材４の表面から取り出される光と、壁６，９に囲まれた封止部材５の表面から取り出される光とを合わせた光である。つまり、発光装置１において、封止部材４，５の表面が発光面となる。
【００６２】
また、壁９は、図２に示すように、配線部２３ｂ，２４ｂの一部およびこれらに接続されるワイヤ１３を覆うように形成される。そのため、発光素子３から出射された光が配線部２３ｂ，２４ｂおよびワイヤ１３には到達せずに壁９によって反射される。従って、配線部２３ｂ，２４ｂおよびワイヤ１３をＡｕで形成した場合であっても、出射光がＡｕの配線等に到達して反射することに起因するロスを軽減することができ、発光装置１の光の取り出し効率を向上させることができる。さらに、配線部２３ｂ，２４ｂの一部およびこれらに接続されるワイヤ１３を壁９によって覆うことによって、これらの部材を塵芥、水分、外力等から保護することができる。また、壁９をワイヤ１３のボンディング領域を被覆する位置に配置することで、壁９と発光素子３の間にワイヤ１３のボンディング領域を確保することが不要となり、壁９を発光素子３の近くに配置することができる。
【００６３】
壁６，９の材料としては、絶縁材料を用いることが好ましい。また、ある程度の強度を確保するために、例えば熱硬化性樹脂、熱可塑性樹脂等を用いることができる。より具体的には、フェノール樹脂、エポキシ樹脂、ＢＴレジンや、ＰＰＡやシリコン樹脂等が挙げられる。また、これらの母体となる樹脂に、発光素子３からの光を吸収しにくく、かつ母体となる樹脂に対する屈折率差の大きい反射部材（例えばＴｉＯ２，Ａｌ２Ｏ３，ＺｒＯ２，ＭｇＯ）等の粉末を分散することで、効率よく光を反射させることができる。また、壁６，９の材料は、樹脂に限定されるものではない。なお、壁６，９のサイズは特に限定されず、目的および用途に応じて適宜選択することができる。
【００６４】
＜金属膜＞
実装エリア１１，１２上には、光を反射する金属膜を形成し、当該金属膜を介して複数の発光素子３を配置することが好ましい。この場合、出射光のロスを軽減することができ、発光装置１の光の取り出し効率を向上させることができる。
【００６５】
この金属膜は、電解めっきまたは無電解めっきで形成することが好ましい。金属膜の材料としては、特に限定されないが、例えば、Ａｇ（銀）またはＡｕ（金）を用いることが好ましく、特にＡｇを用いることが好ましい。Ａｕは光を吸収しやすい特性を備えているが、例えばＡｕめっきの表面にＴｉＯ２膜をさらに形成することで、光反射率を高めることができる。また、ＡｇはＡｕよりも可視光に対する光反射率が高いため、Ａｕ単独でめっきを行うよりも、発光装置１の光の取り出し効率を向上させることができる。なお、金属膜の厚さは特に限定されず、目的および用途に応じて適宜選択することができる。
【００６６】
＜導電部材（正極および負極）＞
導電部材（金属部材）２０は、図１および図２に示す正極２３および負極２４を構成するものであり、基材２上の複数の発光素子３や保護素子等の電子部品と、外部電源とを電気的に接続し、これらの電子部品に対して外部電源からの電圧を印加するためのものである。すなわち、導電部材２０（正極２３および負極２４）は、外部から通電させるための電極、またはその一部としての役割を担うものである。
【００６７】
正極２３および負極２４は、図２に示すように、略矩形状のパッド部（給電部）２３ａ，２４ａと、線状の配線部２３ｂ，２４ｂと、を有しており、パッド部２３ａ，２４ａに印加された電圧が配線部２３ｂ，２４ｂを介して実装エリア１１，１２に配置された複数の発光素子３へと印加されるように構成されている。
【００６８】
パッド部２３ａ，２４ａは、外部電源からの電圧が印加されるためのものである。
パッド部２３ａ，２４ａは、図２に示すように、基材２上の角部における対角線の位置に、一対で形成されている。そして、パッド部２３ａ，２４ａは、導電性のワイヤ１３によって、図示しない外部電源と電気的に接続されている。
【００６９】
配線部２３ｂ，２４ｂは、外部電源からパッド部２３ａ，２４ａに印加された電圧を、実装エリア１１，１２上の発光素子３へと伝達するためのものである。配線部２３ｂ，２４ｂは、図２に示すように、パッド部２３ａ，２４ａから延出するように形成されるとともに、実装エリア１２の周囲に略Ｌ字状で形成されている。
【００７０】
正極２３および負極２４を構成する導電部材２０の素材は、Ａｕを用いることが好ましい。これは、後記するように、ワイヤ１３の材料として熱伝導性が向上したＡｕを用いた場合に、同素材であるワイヤ１３を強固に接合することができるためである。
【００７１】
正極２３および負極２４を構成する導電部材２０の形成方法としては、前記した実装エリア１１，１２上の金属膜の形成方法と同様に、電解めっきまたは無電解めっきで形成することが好ましい。なお、正極２３および負極２４を構成する導電部材２０の厚さは特に限定されず、ワイヤ１３の数等、目的および用途に応じて適宜選択することができる。
【００７２】
ここで、配線部２３ｂ，２４ｂの一部、すなわち導電部材２０の一部は、図１および図２に示すように、壁９によって被覆されている。そのため、配線部２３ｂ，２４ｂを、前記したように光を吸収しやすいＡｕで形成した場合であっても、発光素子３から出射された光が配線部２３ｂ，２４ｂには到達せずに壁９によって反射される。従って、出射光のロスを軽減することができ、発光装置１の光の取り出し効率を向上させることができる。
【００７３】
なお、図１および図２に示すＡＭはパッド部２３ａが正極２３であることを示すアノードマーク、ＣＭはパッド部２４ａが負極２４であることを示すカソードマークであり、図２に示す符号２８は発光装置１の温度計測ポイントであり、これらもめっき等により形成される。
【００７４】
＜ワイヤ＞
ワイヤ１３は、発光素子３や保護素子等の電子部品と、正極２３や負極２４等を電気的に接続するための導電性の配線である。ワイヤ１３の材料としては、Ａｕ、Ｃｕ（銅）、Ｐｔ（白金）、Ａｌ（アルミニウム）等の金属、および、それらの合金を用いたものが挙げられるが、特に、熱伝導率等に優れたＡｕを用いるのが好ましい。なお、ワイヤ１３の径は特に限定されず、目的および用途に応じて適宜選択することができる。
【００７５】
ここで、ワイヤ１３と、正極２３、負極２４との接続部分は、図２に示すように、壁９によって覆われている。そのため、前記したように、ワイヤ１３を構成する材料として光を吸収しやすいＡｕを用いた場合であっても、発光素子３から出射された光はワイヤ１３には吸収されずに壁９によって反射される。従って、出射光のロスを軽減することができ、発光装置１の光の取り出し効率を向上させることができる。
【００７６】
≪発光装置の製造方法≫
次に、本発明の実施形態に係る発光装置の製造方法について、ここでは図１〜３の形態のものを例にとり、適宜、図面を参照しながら説明する。
【００７７】
本発明に係る発光装置１の製造方法は、ダイボンディング工程と、壁形成工程と、封止部材被覆工程と、を含む。
また、本製造方法の前提として、ダイボンディング工程の前に、基材作製工程とを含む。さらにここでは、めっき工程、ワイヤボンディング工程、保護素子接合工程を含む。
以下、各工程について説明する。なお、発光装置１の構成については前記説明したとおりであるので、ここでは適宜、説明を省略する。
【００７８】
＜基材作製工程＞
基材作製工程は、めっき用配線が形成された基材２を作製する工程である。基材作製工程では、基材２上の実装エリア１１，１２や、正極２３および負極２４となる部位を所定の形状にパターニングすることで形成する。また、基材作製工程では、電解めっきによって基材２上の実装エリア１１，１２に金属膜を形成するためのめっき用配線を形成する。
【００７９】
＜めっき工程＞
めっき工程は、前記めっき配線が形成された基材２上に、少なくとも正極２３および負極２４を構成する導電部材２０を形成する工程であり、好ましくは無電解めっきにより正極２３および負極２４を構成する導電部材２０を形成するとともに、基材２上の実装エリア１１，１２上に、電解めっきにより金属膜を形成する工程である。
【００８０】
めっきの具体的な方法としては、例えば、正極２３、負極２４と実装エリア１１，１２上の金属膜との両方にＡｕめっきを行う方法、正極２３、負極２４にＡｕめっきを行い、実装エリア１１，１２上にＡｇめっきを行う方法、等が挙げられる。なお、金属膜を形成しない場合は、正極２３、負極２４のみにＡｕめっきを行い、実装エリア１１，１２上の金属膜を形成しない方法が挙げられる。また、実装エリア１１，１２上には、ＡｕめっきやＡｇめっきを行う場合はＡｕまたはＡｇの表面に、まためっきを行わない場合は直接基材２表面に、さらにＴｉＯ２膜を形成することが好ましい。
【００８１】
＜ダイボンディング工程＞
ダイボンディング工程は、基材２上に発光素子３を載置する工程である。ダイボンディング工程は、発光素子載置工程と、加熱工程と、からなる。
【００８２】
［発光素子載置工程］
発光素子載置工程は、基材２上（ここでは実装エリア１１，１２の金属膜上）に、接合部材（図示省略）を介して、発光素子３を載置する工程である。
発光素子３は、接合部材により、基材２上の実装エリア１１，１２の金属膜と接合する。なお、発光素子３の裏面には、予め、フラックスを塗布しておいてもよい。ここで、接合部材は、金属膜と発光素子３との間に介在するように設ければよいため、金属膜のうち、発光素子３を載置する領域に設けてもよく、発光素子３側に設けてもよい。あるいは、その両方に設けてもよい。
【００８３】
液状またはペースト状の接合部材を金属膜上に設ける場合、粘度等に応じてポッティング法、印刷法、転写法等の方法から適宜選択することができる。そして、接合部材を設けた箇所に発光素子３を載置する。なお、固体状の接合部材を用いる場合も、固体状の接合部材を載置した後、液状またはペースト状の接合部材を用いる場合と同じ要領で、金属膜上に発光素子３を載置することができる。また、固体状やペースト状の接合部材は、加熱等により一度溶融させることで、発光素子３を金属膜上の所望の位置に固定させてもよい。
【００８４】
［加熱工程］
加熱工程は、発光素子３を載置した後に、接合部材を加熱し、発光素子３を基材２上（実装エリア１１，１２の金属膜上）に接合する工程である。
接合部材は絶縁性部材であってもよく、加熱工程における加熱は、接合部材の少なくとも一部が揮発する温度よりも高い温度で行う。また、接合部材が熱硬化性樹脂を含有する場合は、熱硬化性樹脂の硬化が起こる温度以上に加熱することが好ましい。このようにすることで、発光素子３を熱硬化性樹脂で接着固定することができる。さらに、接合部材として、例えばロジンを含有する樹脂組成物と、低融点の金属とを用いた場合において、金属膜上に、この低融点の金属が載置されている場合、この低融点の金属が溶融する温度以上に加熱することが好ましい。
【００８５】
また、加熱工程において、前記加熱に続けて、さらに洗浄工程を行うことができる。
例えば、接合部材に樹脂組成物を用いた場合、加熱により樹脂組成物の一部を揮発によって消失させた後に、残留した樹脂組成物を、さらに洗浄等によって除去してもよい（残留接合部材洗浄工程）。特に、樹脂組成物がロジン含有の場合には、加熱後に洗浄するのが好ましい。洗浄液としては、グリコールエーテル系有機溶剤等を用いるのが好ましい。
【００８６】
＜保護素子接合工程＞
保護素子接合工程は、正極２３の配線部２３ｂ上に、図１では図示を省略した保護素子（図９参照：以下、保護素子２５と表記する）を載置して接合する工程である。保護素子２５の接合は、発光素子３の接合と同時に行ってもよいが、発光素子３の接合よりも先、あるいは後に行ってもよい。保護素子２５を載置、接合する方法は、前記ダイボンディング工程と同様であるので、ここでは説明を省略する。
【００８７】
＜ワイヤボンディング工程＞
ワイヤボンディング工程は、ダイボンディング工程の後に、発光素子３と、この発光素子３に電圧を印加する導電部材２０とをワイヤ１３によって電気的に接続する工程である。すなわち、導電部材２０の正極２３と、発光素子３上部にある電極端子（パッド電極）とを、ワイヤ１３で電気的に接続する工程である。同じく、発光素子３上部にある電極端子（パッド電極）と導電部材２０の負極２４とを、ワイヤ１３で電気的に接続する工程である。さらにこの工程では、複数の発光素子３を、それぞれ電極端子（パッド電極）を介して接続する。また、保護素子２５と負極２４との電気的な接続もこの工程で行えばよい。すなわち、保護素子２５上部にある電極端子と負極２４とをワイヤ１３で接続する。ワイヤ１３の接続方法は、特に限定されるものではなく、通常用いられる方法で行えばよい。
【００８８】
＜壁形成工程＞
壁形成工程は、基材２上に一部の発光素子３を取り囲むように光反射性の部材からなる壁６を形成すると共に、基材２上に平面視において壁６と同心形状に、壁６の外側に載置された発光素子３を取り囲むように光反射性の部材からなる壁９を形成する工程である
なお、これらの壁６，９は、後から形成する封止部材４と同心形状に形成される。
ここでは、ワイヤボンディング工程の後に、実装エリア１１の周縁に沿って、実装エリア１１，１２を跨いだ発光素子３のペアの間に張られたワイヤ１３を被覆するように壁６を形成する。また、実装エリア１２の周縁に沿って、導電部材２０の一部、すなわち、少なくとも正極２３および負極２４の配線部２３ｂ，２４ｂの一部である、導電部材２０のワイヤ１３との接続部分を被覆するように壁９を形成する。
【００８９】
壁６，９の形成は、例えば、固定された基材２の上側において、基材２に対して上下方向あるいは水平方向等に移動（可動）させることができる樹脂吐出装置（図示省略）を用いて行うことができる（特開２００９−１８２３０７号公報参照）。
すなわち、樹脂が充填された樹脂吐出装置をその先端のノズルから液体樹脂を吐出しながら移動させることで、実装エリア１１の周縁に沿って壁６を形成し、かつ、実装エリア１２の周縁の一部を覆うように壁９を形成していく。樹脂吐出装置の移動速度は、用いる樹脂の粘度や温度等に応じて適宜調整することができる。複数の発光装置１にそれぞれ形成された複数の壁６，９がそれぞれ略同じ幅となるようにするには、少なくとも樹脂を吐出中は一定の速度で移動させるのが好ましい。移動中に樹脂の吐出を一時中断する場合等は、その間の移動速度は変更することもできる。樹脂の吐出量についても、一定とするのが好ましい。さらに、樹脂吐出装置の移動速度と樹脂の吐出量ともに、一定とするのが好ましい。吐出量の調整は、吐出時にかかる圧力等を一定にする等により調整することができる。
【００９０】
＜封止部材被覆工程＞
封止部材被覆工程は、蛍光体７を含有した封止部材４を壁６の内側に載置された発光素子３の上に被覆するように設けると共に、蛍光体８を含有した封止部材５を壁６の外側に載置された発光素子３の上に被覆するように設ける工程である。
すなわち、発光素子３、実装エリア１１，１２上の金属膜およびワイヤ１３等を被覆する透光性の封止樹脂を、基材２上に形成された壁６の内側と、基材２上に形成された壁６と壁９との間と、に注入し、その後加熱や光照射等によって硬化することで形成する工程である。
【００９１】
≪発光装置の性能≫
次に、本発明の実施形態に係る発光装置の性能について、ここでは図１〜３の形態のものを例にとり、従来の発光装置の性能と比較しながら説明する。
まず、従来の蛍光体分離型の発光装置と性能を比較する。
図４（ａ）に断面で示す発光装置は、図２の水平方向の中心線で切断した断面を簡略化して示したものである。ここでは、発光装置は、基材２と、基材２上に配置された３個の発光素子３と、中央の発光素子３を被覆する封止部材４と、両側の発光素子３を被覆する封止部材５と、封止部材４と封止部材５との間に設けられた光反射性の部材からなる壁６（２箇所）と、封止部材５の外側に設けられた壁９（２箇所）とを備える。
【００９２】
また、中央の発光素子３を被覆する封止部材４が含有する蛍光体７によって、封止部材４の上方に赤色の光が所定の角度範囲に放射されるものとする。また、両側の発光素子３を被覆する封止部材５が含有する蛍光体８によって、封止部材５の上方に黄色の光が前記所定の角度範囲に放射されるものとする。図４（ａ）において、発光装置の上面より上方において、２色の光、およびそれらの混合された光についてハッチングを区別して模式的に示す。このハッチングは図４（ａ）と図４（ｂ）で共通である。なお、ここでは、本発明の実施形態に係る発光装置の発光する光を、従来のものと比較して説明することを主眼としているので、以下に示す発光の状態は模式的なものであり、実際とは異なる場合がある。
【００９３】
図４（ａ）に示すように、発光装置の上面から上方に距離Ｌ１までの範囲では、放射された赤色の光と黄色の光とは分離している。
また、発光装置の上面から上方に距離Ｌ１からＬ２までの範囲では、放射された赤色の光と黄色の光とは一部で分離して残っているが、残りは赤色の光と黄色の光とが左右で混合している。
さらに、発光装置の上面から上方に距離Ｌ２からＬ３までの範囲では、放射された黄色の光は一部で分離して残っているが、残りの一部は赤色の光と黄色の光とが左右で混合し、さらに、その混合した光の領域に左右の黄色の光が混合している（ドットで表す領域）。なお、Ｌ３以上の範囲については以下同様である。
【００９４】
発光装置の上面から上方に距離Ｌ３の位置に見える光の状態の模式図を図４（ｂ）に示す。図４（ｂ）に示すように、視野の中心の狭い範囲には、赤色の光と黄色の光とが混合し、さらに、その混合した光の領域に左右の黄色の光が混合している領域（ドットで表す領域）が現れる。
また、ドットで表す領域の外周の範囲には、赤色の光と黄色の光とが混合している領域が、ドットで表す領域と同心形状に現れる。
さらに、視野の外周縁に近い範囲には、両側の発光素子３を被覆する封止部材５が含有する蛍光体８の発光する黄色の光の領域が、ドットで表す領域と同心形状に現れる。
つまり、視野の中心ほど光が混合される割合が高くなっている。また、それぞれの光の領域が同心形状となる理由は、発光装置１の発光面において、封止部材５が封止部材４と同心形状であることを反映している。
【００９５】
次に、図４（ａ）に断面で示す発光装置の比較例を図５（ａ）に示す。図５（ａ）に断面で示す発光装置は、特許文献２に記載の発光装置と同様な形状である。この比較例の発光装置は、基材１０２と、基材１０２上に配置された２個の発光素子１０３と、右の発光素子１０３を被覆する封止部材１０４と、左の発光素子１０３を被覆する封止部材１０５と、封止部材１０４と封止部材１０５との間に設けられた光反射性の部材からなる壁１０６と、封止部材１０４、１０５の外側に設けられた壁１０９（２箇所）とを備える。なお、壁１０６は、左右の封止部材１０４，１０５を単純に分離するものである。
【００９６】
また、右の発光素子１０３を被覆する封止部材１０４が含有する蛍光体１０７によって、封止部材１０４の上方に赤色の光が所定の角度範囲に放射されるものとする。また、左の発光素子１０３を被覆する封止部材１０５が含有する蛍光体１０８によって、封止部材１０５の上方に黄色の光が前記所定の角度範囲に放射されるものとする。図５（ａ）において、発光装置の上面より上方において、２色の光、およびそれらの混合された光をハッチングを区別して模式的に示す。このハッチングは図５（ａ）と図５（ｂ）で共通である。なお、以下に示す発光の状態は模式的なものであり、実際とは異なる場合がある。
【００９７】
図５（ａ）に示すように、発光装置の上面から上方に距離Ｌ１までの範囲では、放射された赤色の光と黄色の光とは分離している。
また、発光装置の上面から上方に距離Ｌ１からＬ２およびＬ３までの範囲では、放射された赤色の光と黄色の光とは一部で分離して残っているが、残りは赤色の光と黄色の光とが左右で混合している。なお、Ｌ３以上の範囲については以下同様である。
【００９８】
比較例の発光装置の上面から上方に距離Ｌ３の位置に見える光の状態の模式図を図５（ｂ）に示す。図５（ｂ）に示すように、視野の中心の領域には、縦長の帯状に、赤色の光と黄色の光とが混合している領域が現れる。
また、視野の左側の領域には、縦長の帯状に、放射された黄色の光の領域が現れる。
さらに、視野の右側の領域には、縦長の帯状に、放射された赤色の光の領域が現れる。
【００９９】
つまり、視野の中心ほど光が混合される割合が高くなっているものの、図４に示すドットの領域は現れず、かつ、それぞれの光の領域は縦長の帯状である点が相違する。
ここで、図４に示すドットの領域が現れないことは、比較例の発光装置の上面から上方に距離Ｌ２の位置を越えた範囲においても、放射された赤色の光だけの領域が現れ続けていることを意味する。つまり、左側は、黄色光の強度が強く、右側は赤色光の強度が強いという偏りが生じる。そのため、比較例の発光装置の構造では、壁１０６の中心から左右に放射する方向に沿って、赤色と黄色とを混合した割合が異なり、左右均等に発光することができず、色ムラが生じる。特に、各封止部材に複数の発光素子を配置する場合には、各封止部材の面積が増大し、このような色ムラはさらに顕著となる。これに対して、図４（ａ）に示す発光装置は、蛍光体７を含有した封止部材４の両側に、蛍光体８を含有した封止部材５が封止部材４と同心形状に配置されているので、図４（ｂ）に示すように、封止部材４の中心から放射する方向に沿って、赤色と、黄色とを混合した割合が等しく、均等に発光することができ、色ムラを低減することができる。このような構成は、特に、各封止部材に複数の発光素子を配置する発光装置に適している。
【０１００】
次に、従来の蛍光体ブレンド型の発光装置と性能を比較する。
ここでは、発光装置１において、基材２の中央領域に配置された発光素子３を被覆する封止部材４が含有する蛍光体７を、赤色蛍光体の一例であるＳＣＡＳＮとする。また、基材２の周辺領域に配置された発光素子３を被覆する封止部材５が含有する蛍光体８を、黄色蛍光体の一例であるＹＡＧとする。
【０１０１】
図６に蛍光体の発光スペクトルを示す。図６のグラフの横軸は、４８０ｎｍ以上の範囲において光の波長［ｎｍ］を示し、縦軸は任意単位で相対発光強度［ａ．ｕ．］を示している。図６（ａ）においてＳ０１で示す曲線は、ＳＣＡＳＮの発光スペクトルを示している。図示するようにＳＣＡＳＮの発光スペクトルは、約６３０ｎｍ付近にピークを有している。図６（ａ）においてＳ０２で示す曲線は、ＹＡＧの発光スペクトルを示している。図示するようにＹＡＧの発光スペクトルは、約５５０ｎｍ付近にピークを有している。
【０１０２】
ここで、図６（ａ）のグラフは、ＳＣＡＳＮが単独で存在する場合の発光スペクトルと、ＹＡＧが単独で存在する場合の発光スペクトルとを、相対発光強度を合わせた上で、形式的に重ねて表示したものである。図示するように、ＳＣＡＳＮの発光スペクトルと、ＹＡＧの発光スペクトルとは、約５３０〜７３０ｎｍの波長範囲で重なりが生じ、約６００ｎｍの波長にてほぼ等しい発光強度を有している。
【０１０３】
図６（ｂ）に示すグラフは、図６（ａ）に示すグラフと同様に作成したものであるが、下記の点で相違する。第１の相違点は、図６（ｂ）においてＳ０２ｂで示す曲線は、ＹＡＧの発光がＳＣＡＳＮに吸収される場合の発光スペクトルを模式的に示している。なお、ＳＣＡＳＮの吸収スペクトルは、図６（ｂ）においてＳ０４で示す。図６（ｂ）に示すように、ＹＡＧの発光スペクトルは、約５５０ｎｍ付近にピークを有している点は共通するが、ピーク近傍の約４５０〜５００ｎｍ（緑の波長に対応する所定波長範囲）の相対発光強度が約３０％程度減少している。これは、長波長側のＳＣＡＳＮによって、短波長側のＹＡＧの発光する光が吸収されて、ＹＡＧの発光スペクトルが変化したことを表している。
【０１０４】
第２の相違点は、図６（ｂ）においてＳ０３で示す曲線が付加されている。Ｓ０３で示す曲線は、緑色蛍光体であるクロロシリケートが単独で存在する場合の発光スペクトルを模式的に示している。図示するようにクロロシリケートの発光スペクトルは、約５３０ｎｍ付近にピークを有している。クロロシリケートは、ＹＡＧの発光する光が吸収される影響を相殺するために加えるものである。
【０１０５】
ここで、図６（ｂ）のグラフは、ＳＣＡＳＮが単独で存在する場合の発光スペクトルと、ＳＣＡＳＮと共にブレンドされて発光の一部が吸収される場合のＹＡＧの発光スペクトルと、クロロシリケートが単独で存在する場合の発光スペクトルとを、相対発光強度を合わせた上で、形式的に重ねて表示したものである。なお、図６（ｂ）には、ＳＣＡＳＮの吸収スペクトルも示した。
【０１０６】
本発明の実施形態に係る発光装置１は、発光素子３の光と、壁６の内側に設けられた封止部材４に含有されたＳＣＡＳＮで波長変換された光と、壁６の外側に設けられた封止部材５に含有されたＹＡＧで波長変換された光と、が混合した光を発光する。この発光装置１が発光する光の発光スペクトル（実施例）を測定した。
また、蛍光体ブレンド型の比較例の発光装置として、ＳＣＡＳＮ、ＹＡＧおよびクロロシリケートの３種類をブレンドした封止部材で発光素子を被覆した発光装置が発光する光の発光スペクトル（実施例）を測定した。比較結果を図７に示す。
【０１０７】
図７のグラフの横軸は、３５０ｎｍ以上の範囲において光の波長［ｎｍ］を示し、縦軸は任意単位で相対発光強度［ａ．ｕ．］を示している。図７においてＳ１１で示す実線の曲線は、実施例を示し、Ｓ１２で示す破線の曲線は、比較例を示している。実施例も比較例も約６１０ｎｍ近辺の波長にてピークを有している。これは、図６（ａ）に示すように、ＳＣＡＳＮの発光スペクトルと、ＹＡＧの発光スペクトルとが、約６００ｎｍの波長にて重なり、かつ、ほぼ等しい発光強度を有していることを反映している。なお、図７において約４５０ｎｍ付近のピークは、発光素子の発光波長を反映している。
【０１０８】
Ｓ１１で示す実線の曲線は、Ｓ１２で示す破線の曲線と同様に、５３０ｎｍ付近に緩やかなピークを有している。このピーク付近における発光は、Ｓ１２で示す比較例の発光装置においては、図６（ｂ）のＳ０３で示すクロロシリケートによって補強されたものであるが、Ｓ１１で示す本発明の発光装置１においては、クロロシリケートを含有していない状態で、同様の結果が得られている。
【０１０９】
より具体的には、大局的に、Ｓ１１で示す実線の曲線と、Ｓ１２で示す破線の曲線とは、一方と他方とがほぼ一致し、一致しないときであっても一方が他方を上回る波長領域と、他方が一方を上回る波長領域とがほぼ等しい。したがって、すべての波長範囲で概ね一致している。演色性についての平均演色評価数（Ｒａ）は、本発明の実施形態に係る発光装置１と、３種類の蛍光体をブレンドした比較例の発光装置とで、ほぼ同程度である。さらに、発光効率（ｌｍ／ｗ）は、本発明の実施形態に係る発光装置１が、従来の発光装置に比べて約１６％向上している。
【０１１０】
第１実施形態によれば、発光装置１は、壁６を仕切りとして異なる蛍光体７，８を別々にそれぞれが含有した封止部材４，５を分離して同心形状となるように設けたので、従来の蛍光体分離型の発光装置よりも色ムラが低減すると共に、従来の３種類の蛍光体をブレンドした発光装置よりも発光効率を向上させることができる。
【０１１１】
（第２実施形態）
第２実施形態に係る発光装置１Ａについて図８を参照して説明する。なお、前記した発光装置１と同一構成のものについては同一の符号を付して、以下では主に相違点についてのみ説明する。図１に示す発光装置１は、封止部材４，５を透過して平面で視た場合、複数の発光素子３の実装エリアを矩形であるものとして説明したが、封止部材４，５を透過して平面で視た場合、複数の発光素子３の実装エリアを円形としてもよい。この場合の発光装置１Ａを平面視で簡略化して図８に示す。
【０１１２】
図８に示すように、発光装置１Ａでは、封止部材４が基材２上に円形状に形成されている。これに対応して、封止部材４で被覆される複数の発光素子３の実装エリアは円形状に形成されている。また、図８に示すように、壁６が基材２上において封止部材４を取り囲むように円環状に形成されている。これに対応して、封止部材５で被覆される複数の発光素子３の実装エリアは円環状に形成されている。また、図８に示すように、壁９が基材２上において封止部材５を取り囲むように円環状に形成されている。なお、図８において、中心から各頂点方向に向いた４本の白抜き矢印の方向および長さは、円形状の実装エリアに配置されたすべての発光素子３（図８では封止されているため不図示）が発光する光の混ざり方および広がり方が水平方向のどの方向でも均一であることを示している。
【０１１３】
ここで、図２に対応させて、封止部材４，５を透過して平面で視た場合の複数の発光素子３の実装エリアの一例を図９に示す。なお、図９に示す例は、図８に模式的に示した発光装置とは細部が異なるので異なる符号１Ｂを付した。この例では、発光装置１Ｂの壁９は、配線部２３ｂ，２４ｂの一部、保護素子２５およびこれらに接続されるワイヤ１３を覆うように形成されている。なお、図９に示す発光装置１Ｂにおいて、図２に示す発光装置１と同一構成のものについては同一の符号を付して、説明を省略する。なお、図９に示す発光装置１Ｂにおいては、内側の壁６が外側の壁９よりも幅が小さいが、壁６の幅を壁９の幅と同程度とすることもできる。
【０１１４】
保護素子２５は、実装エリア１１，１２に実装された複数の発光素子３を、過大な電圧印加による素子破壊や性能劣化から保護するための素子である。保護素子２５は、具体的には、規定電圧以上の電圧が印加されると通電状態になるツェナーダイオード（Zener Diode）である。保護素子２５は、図示は省略したが、前記した発光素子３と同様にｐ電極とｎ電極とを有する半導体素子であり、発光素子３のｐ電極とｎ電極に対して逆並列となるように、ワイヤ１３によって負極２４の配線部２４ｂと電気的に接続される。
なお、図９に示す符号２９は、発光素子３のボンディング位置を認識するための認識マークであり、めっき等により形成される。
【０１１５】
第２実施形態によれば、発光装置１Ａ，１Ｂは、複数の発光素子３の実装エリアを円形としたので、基材２の中心に配設された複数の発光素子を封止する封止部材４が円形状に形成され、かつ、封止部材５が基材２上に円環状に形成されているので、封止部材４の中心から放射する方向に沿って、長波長側の蛍光体による色と、短波長側の蛍光体による色とを混合した割合が等しく、かつ、周方向に沿って、色を混合した割合が略等しくなる。したがって、均等に発光することができ、色ムラを低減することができる。
【０１１６】
（第２実施形態の変形例）
図示を省略するが、同様に、発光装置１を封止部材４，５を透過して平面で視た場合、複数の発光素子３の実装エリアを楕円形状としてもよい。この場合、封止部材４が基材２上に楕円形状に形成される。これに対応して、封止部材４で被覆される複数の発光素子３の実装エリアは楕円形状に形成される。また、壁６が基材２上において封止部材４を取り囲むように楕円の環形状に形成される。これに対応して、封止部材５で被覆される複数の発光素子３の実装エリアは楕円の環形状に形成される。また、壁９が基材２上において封止部材５を取り囲むように楕円の環形状に形成される。
【０１１７】
第２実施形態の変形例によれば、同様に、発光装置１は、基材２の中心に配設された複数の発光素子を封止する封止部材４が楕円形状に形成され、かつ、封止部材５が基材２上に楕円の環形状に形成されているので、封止部材４の中心から放射する方向に沿って、長波長側の蛍光体による色と、短波長側の蛍光体による色とを混合した割合が等しく、かつ、周方向に沿って、色を混合した割合が、矩形の実装エリアの場合よりも緩やかに変化する。したがって、均等に発光することができ、色ムラを低減することができる。
【０１１８】
（第３実施形態）
第３実施形態は、第１実施形態と同様の構成なので同様な構成には同様の符号を付して図１および図２を用いて説明する。発光装置１が備える複数の発光素子３は、蛍光体７および蛍光体８を励起することができれば、必ずしも単一の素子である必要はない。第３実施形態の発光装置１は、例えば、蛍光体８（例えば黄色蛍光体）の波長よりも短い波長（例えば青色）を発光する複数の発光素子（第１発光素子）と、この第１発光素子の発光波長（例えば青色）と蛍光体８の発光波長（例えば黄色）との間の波長（例えば青緑色や緑色）を発光する複数の発光素子（第２発光素子）とを備えることとした。
【０１１９】
第１発光素子は、例えば、青色発光素子とすることができる。第２発光素子は、例えば、青緑色発光素子や緑色発光素子とすることができる。より具体的には、第１発光素子としては、発光波長が４４５ｎｍ〜４６５ｎｍのものを用い、第２発光素子としては、発光波長が４９５ｎｍ〜５２０ｎｍのものを用いることができる。第２発光素子としては、少なくとも第１発光素子と発光波長が異なるものが選択され、さらには、蛍光体を励起しないもの、少なくとも第１発光素子よりも蛍光体を励起する割合（吸収される割合）の少ないものを選択することが好ましい。これによって、第２発光素子の発光が蛍光体に吸収されることなく外部に取り出すことができるため、光の取り出し効率が向上し、発光効率が向上した高演色性の発光装置を得ることができる。この場合、封止部材４は第１発光素子を被覆しており、封止部材５は第１発光素子および第２発光素子を被覆していることが好ましい。図２に封止部材４，５を透過して平面視で示す複数（例えば、９行×１０列の合計９０個）の発光素子３の例において、第１行目および第９行目のハッチングを付した２０個を、第２発光素子とし、かつ、他の７０個を第１発光素子とすることができる。
【０１２０】
第３実施形態によれば、発光装置１は、発光面の平面視において、壁６の内側に配置された封止部材４が含有する蛍光体７によって、第１発光素子が発光する光が発光する光が波長変換されると共に、壁６の外側に配置された封止部材５が含有する蛍光体８によって、第１発光素子が発光する光と、第２発光素子が発光する光と、が別々に波長変換される。したがって、発光装置１は、第２発光素子の個数や配置を適宜変更することで、発光面全体としての発光スペクトルが補正されて、演色性を容易に向上させることができる。
【０１２１】
以上、本発明の各実施形態について説明したが、本発明は前記各実施形態に限定されるものではなく、本発明の趣旨を逸脱しない範囲で変更することができる。すなわち、前記に示す発光装置の各形態は、本発明の技術思想を具体化するための発光装置を例示するものであって、本発明は、発光装置を前記の各形態に限定するものではない。また、特許請求の範囲に示される部材等を、実施の形態の部材に特定するものではない。特に、実施の形態に記載されている構成部品の寸法、材質、形状、その相対的配置等は、特定的な記載がない限りは、本発明の範囲をそれのみに限定する趣旨ではなく、単なる説明例にすぎない。
【０１２２】
例えば、各実施形態では、蛍光体７の発光波長が蛍光体８の発光波長よりも長いものとして説明したが、蛍光体８の発光波長が蛍光体７の発光波長よりも長いものとしてもよい。このように構成した場合、実装エリア１１の広さは、実装エリア１２の広さよりも広いことが好ましく、また、実装エリア１１に実装された発光素子３の個数は、実装エリア１２に実装された発光素子３の個数よりも多いことが好ましい。すなわち、蛍光体の発光波長が長い方を含有した封止部材の側にて被覆する発光素子３の実装エリアの方を広くして、多くの個数の発光素子３を載置することが好ましい。なお、この場合であっても発光素子３の実装エリアの形状は前記した矩形や円形等のいずれでも構わない。
【０１２３】
また、各実施形態では、光反射性の部材からなる２つの壁６，９を備えることとしたが、例えば、封止部材５が粘度の高い樹脂で形成される場合、内側の壁６だけを備えることとしてもよい。また、発光装置の平面視で、壁６は封止部材４と同心形状でなくても構わない。また、壁６の形状と、封止部材４の外形とは、必ずしも一致していなくてもよい。例えば、封止部材４，５の外形が円形で、壁６の内側の形状が円形かつ壁６の外側の形状が正８角形等であってもよい。
【０１２４】
また、例えば、各実施形態では、基材２として、基板を用いた場合について説明したが、基材２としては樹脂パッケージ等でもよい。
また、各実施形態では、発光素子３として、フェースアップ（ＦＵ）素子を用いた場合について説明したが、フェースダウン（ＦＤ）素子や対向電極構造の素子であってもよい。なお、発光素子や発光装置の形態によっては、導電部材２０、保護素子２５、ワイヤ１３、金属膜等は備えない構成のものであってもよく、また、基材作製工程、めっき工程、ワイヤボンディング工程、保護素子接合工程等を含まない製造方法であってもよい。
【０１２５】
さらに、発光装置の製造方法においては、本発明を行うにあたり、前記各工程に悪影響を与えない範囲において、前記各工程の間あるいは前後に、前記した工程以外の工程を含めてもよい。例えば、基材を洗浄する基材洗浄工程や、ごみ等の不要物を除去する不要物除去工程や、発光素子や保護素子の載置位置を調整する載置位置調整工程等、他の工程を含めてもよい。
【符号の説明】
【０１２６】
１，１Ａ，１Ｂ  発光装置
２      基材（基板）
３      発光素子
３ａ    ｐ電極
３ｂ    ｎ電極
４      封止部材（第１封止部材）
５      封止部材（第２封止部材）
６      壁（光反射樹脂）
７      蛍光体（第１蛍光体）
８      蛍光体（第２蛍光体）
９      壁（第２の壁）
１１，１２  実装エリア
１３  ワイヤ
２０    導電部材
２３    正極
２３ａ  パッド部
２３ｂ  配線部
２４    負極
２４ａ  パッド部
２４ｂ  配線部
２５    保護素子
２８    温度計測ポイント
２９    認識マーク
ＡＭ    アノードマーク
ＣＭ    カソードマーク
【図１】
0005740976.tif 000002
【図２】
0005740976.tif 000003
【図３】
0005740976.tif 000004
【図４】
0005740976.tif 000005
【図５】
0005740976.tif 000006
【図６】
0005740976.tif 000007
【図７】
0005740976.tif 000008
【図８】
0005740976.tif 000009
【図９】
0005740976.tif 000010